(57)【特許請求の範囲】
【請求項１】
アンテナ（２）を板状の支持体（３）に固定するユニット（１）であって、
前記アンテナ（２）の支持に適したベース要素（４）であって、前記板状の支持体（３）に置くのに適した接触面（４ａ）が設けられる、ベース要素（４）と、
前記接触面（４ａ）に投射する接続方向（Ｘ）を画定する接合手段（９）を介して前記ベース要素（４）に接続可能な主体（６）及び前記接続方向（Ｘ）に従って主に発展し、前記接続方向（Ｘ）に対する突出体（７）の傾斜角を変更できるようにするのに適した変形可能な接続部（８）を介して前記主体（６）に関連付けられる少なくとも１つの前記突出体（７）を備える固定要素（５）と、
を備え、
前記突出体（７）が、前記主体（６）の対応する推進面（６ａ）に面し、前記推進面（６ａ）から離間された参照面（７ａ）を有し、前記接続部（８）が、変形により、前記固定要素（５）が前記ベース要素（４）に接続され、前記アンテナ（２）を前記板状の支持体（３）に固定する場合、前記参照面（７ａ）と前記推進面（６ａ）との接触が達成されるまで、前記突出体（７）を前記主体の近傍に移動させることができるように構成されることを特徴とする、固定ユニット（１）。
【請求項２】
前記接続部（８）が、前記主体の近傍への移動中に塑性的に変形するのに適することを特徴とする、請求項１に記載の固定ユニット（１）。
【請求項３】
前記接続部（８）が、前記接続方向（Ｘ）に従って押しつぶすことができる少なくとも１つの凹面（１８）が設けられた第１の板状の本体（１５）であることを特徴とする、請求項１又は２に記載の固定ユニット（１）。
【請求項４】
前記固定要素（５）の前記ベース要素（４）への接続中、前記接続方向（Ｘ）に対して前記突出体（７）を広げるのに適した案内手段（１０）を備えることを特徴とする、請求項１〜３のうちいずれか一項に記載の固定ユニット（１）。
【請求項５】
前記案内手段（１０）が、前記接続方向（Ｘ）に対して傾斜した、前記ベース要素（４）に属する案内面（１１）と、前記ベース要素（４）が前記固定要素（５）の近傍に移動する間、前記案内面（１１）上で摺動するのに適した、前記突出体（７）に属する相手方面（１２）とを備えることを特徴とする、請求項４に記載の固定ユニット（１）。
【請求項６】
前記案内手段（１０）が、互いに接触することにより相互に協働して、前記突出体（７）の広がりを制限するのに適した、前記ベース要素（４）に属する抑制壁（１３）及び前記突出体（７）に属する成形面（１４）を備えることを特徴とする、請求項４又は５に記載の固定ユニット（１）。
【請求項７】
前記突出体（７）が、端部（７ｂ）を有することを特徴とする、請求項１〜６のうちいずれか一項に記載の固定ユニット（１）。
【請求項８】
前記突出体（７）が、断面が前記接続方向（Ｘ）に垂直な平面に対して凹形外形を有する第２の板状の本体（１６）であることを特徴とする、請求項１〜７のうちいずれか一項に記載の固定ユニット（１）。
【請求項９】
前記固定要素（５）が、前記主体（６）の周縁に接続された前記突出体（７）のうちの少なくとも２つを備えることを特徴とする、請求項１〜８のうちいずれか一項に記載の固定ユニット（１）。
【請求項１０】
前記主体（６）が、前記接続方向（Ｘ）に垂直な平面（Ｙ）に従って主に発展し、前記推進面（６ａ）を画定する前記接続方向（Ｘ）に面する周縁部（１７ａ）が設けられた第３の板状の本体（１７）であることを特徴とする、請求項１〜９のうちいずれか一項に記載の固定ユニット（１）。
【請求項１１】
前記接合手段（９）が、前記主体（６）に属する貫通穴（９ｂ）を介して挿入でき、前記ベース要素（４）に属するナットネジ（９ｃ）にねじ込むのに適したネジ（９ａ）を備えることを特徴とする、請求項１〜１０のうちいずれか一項に記載の固定ユニット（１）。
【請求項１２】
前記固定要素（５）が、金属材料で作られたシートを切断し、曲げることにより得られることを特徴とする、請求項１〜１０のうちいずれか一項に記載の固定ユニット（１）。
【発明の詳細な説明】
【技術分野】
【０００１】
本発明は、例えば、車両のルーフのような板状の支持体にアンテナを固定するユニットに関する。
【背景技術】
【０００２】
既知の種類の固定ユニットは、車両のルーフ外側上に置かれるような接触面が提供された、アンテナを支持するベース要素を備える。
【０００３】
固定要素も提供され、固定要素は、ネジを介してベース要素に接続され、端部がわずかに分かれたネジにより画定される接続方向に従って主に発展する複数の突出体を備える。
【０００４】
アンテナをルーフに固定するために、ベース要素及び固定要素はまず、適切な貫通穴の高さでルーフの両側に配置される。
【０００５】
続けて、突出体の端部がルーフに接触するように、ネジがねじ込まれる。
【０００６】
上述した突出体は、端部を互いの近傍に相互に移動可能であるように弾性的に変形可能であり、固定要素は、車両のルーフに作られた穴にスナップ嵌めすることができる。
【０００７】
これにより、すでに以前にベース要素に接続された固定要素を用いて、アンテナをルーフに設置し、操作を容易にすることが可能になる。
【０００８】
しかし、上述した既知の固定体は、固定要素単独ではアンテナをルーフに効率的に固定することができないという欠点を有する。
【０００９】
実際には、互いの近傍に移動させ、次に、広げられるようにする突出体の変形可能性は、突出体がルーフに及ぼすことができる締め付け力を制限する。
【００１０】
上記変形可能性によるさらなる欠点は、突出体が締め付け中に過度に広がる傾向を有し、したがって、締め付け力をさらに制限することにある。
【００１１】
したがって、既知の種類の固定ユニットには、通常、固定要素を含み、突出体の変形を制限するのに適したケージがある。
【００１２】
しかし、上述した閉じ込めケージは、固定ユニットの構成要素の数、ひいてはそのコストを増大させるという欠点を有する。
【００１３】
さらに、固定ユニットの構成要素の数が多いことは、対応する組み立て時間の増大を意味する。
【００１４】
上述した固定ユニットのさらなる欠点は、突出体の変形に続く弾性反応が、特に車両では避けられない振動が存在する場合に、ネジを漸進的に緩めさせる傾向があることにある。
【発明の概要】
【発明が解決しようとする課題】
【００１５】
本発明は、上述した既知のすべての欠点を解消することを目的とする。
【００１６】
特に、本発明の第１の目的は、同じ固定効率を提供しながら、既知の種類の固定ユニットよりも少数の構成要素を有する板状の支持体にアンテナを固定するユニットを提供することである。
【００１７】
本発明の目的は、固定ユニットの自然発生的な緩まりを回避することでもある。
【課題を解決するための手段】
【００１８】
上述した目的は、主請求項に従って実施される固定ユニットにより達成される。
【００１９】
本発明の固定ユニットのさらなる詳細な特徴は、関連する従属項において特定される。
【００２０】
有利なことには、より少数の構成要素により、既知の種類の固定ユニットと比較して固定ユニットの複雑性、ひいてはコストを低減することが可能である。
【００２１】
さらに有利なことには、より少数の構成要素により、固定ユニットの組み立て時間を低減することが可能である。
【００２２】
さらに、有利なことには、ネジが自然発生的に緩まるリスクの低減により、アンテナの不完全な固定によるいかなる破損及び対応するメンテナンスコストを回避することが可能である。
【００２３】
上記目的及び利点は、以下に強調される他の目的及び利点と共に、添付図面を参照して非限定的な例として提供される本発明の好ましい実施形態の説明に示される。
【図面の簡単な説明】
【００２４】
【図１】本発明の主題である固定ユニットの分解組立不等角投影図を示す。
【図２】図１の固定ユニットの拡大した構成要素の異なる角度からの不等角投影図を示す。
【図３】異なる動作構成での、図１の固定ユニットの正面部分断面図を示す。
【図４】異なる動作構成での、図１の固定ユニットの正面部分断面図を示す。
【図５】異なる動作構成での、図１の固定ユニットの正面部分断面図を示す。
【図６】図４の拡大した細部を示す。
【発明を実施するための形態】
【００２５】
図１に示され、全体的に１として示される本発明の固定ユニットは、例えば、貫通穴３ａが予め作られた、車両のルーフのような板状の支持体３にアンテナ２を固定するために使用するのに特に適する。
【００２６】
図に示されるように、固定ユニット１は、それ自体既知の種類のアンテナ２を支持し、板状の支持体３上に静止するように配置するのに適した接触面４ａが設けられるベース要素４を備える。
【００２７】
接触面４ａは、必ずではなく好ましくは、有利なことには接触面４ａが、異なる曲率を有する板状の支持体上に効果的に静止できるようにする互いから離間された複数の突出エリアにより画定される。
【００２８】
固定ユニット１は、板状の支持体３の逆側に配置することができるように、穴３ａを介してベース要素４に接続することができる固定要素５も備える。
【００２９】
特に、固定要素５は主体６を備え、主体６は、それ自体既知であり、ベース要素４の接触面４ａに投射する接続方向Ｘを画定する接合手段９を介してベース要素４に接続することができる。
【００３０】
上記接合手段９は、好ましくはネジ９ａを備え、ネジ９ａは、固定要素５に属する貫通穴９ｂに挿入され、ベース要素４に属するナットネジ９ｃにねじ込むのに適し得る。
【００３１】
明らかなことに、本発明の変形実施形態では、ネジ９ａは、ネジ９ａと同等な既知の種類の任意の接合手段９で置換することができる。４つの突出体７が、主体６から延び、主に接続方向Ｘに従って発展する。
【００３２】
明らかなことに、既知の種類の変形実施形態では、突出体７は、４とは異なる数であっても任意の数で存在してよく、制限される場合では、さらには１つのみであってもよい。
【００３３】
図２にさらに詳細に示されるように、各突出体７には、突出体７が接続方向Ｘに対する傾斜を変更できるようにするのに適する変形可能な接続部８を介して主体６が関連付けられる。
【００３４】
有利なことには、接続部８の変形可能性により、対応する端部７ｂがベース要素４の逆側で穴３ａの縁部に当接して配置されて、図５に示されるようにアンテナ２を板状の支持体３に固定するように突出体７を広げることが可能である。
【００３５】
本明細書に示されない変形実施形態によれば、突出体７は、非変形構成で、全幅が穴３ａの幅を超えるように分岐する。
【００３６】
この場合、接続部８の変形可能性は、有利なことには、穴３ａを介しての固定要素５の挿入中、突出体７を互いの近傍に移動させることが可能である。
【００３７】
必ずではなく好ましくは、ゴム又は別の同等の材料で作られた、図１に見える封止要素１９もあり、封止要素１９にはベース要素４が関連付けられて、穴３ａを介しての湿気及び／又は埃の通過を回避する。
【００３８】
本発明によれば、特に図２に示されるように、固定要素５の各突出体７は、主体６の対応する推進面６ａに面し、推進面６ａから離間された参照面７ａを有する。
【００３９】
さらに、接続部８は、アンテナ２が板状の支持体３に固定されている間、固定要素５がベース要素４に向けて押される場合、変形して、対応する突出体７が主体６の近傍に移動可能なように構成される。
【００４０】
接続部８の変形により、図５に示されるように、参照面７ａが対応する推進面６ａ上に静止できるようにする。
【００４１】
したがって、接続方向Ｘに略平行し、ひいては突出体７の発展方向に略平行する方向に従ってネジ９ａの締め付け力を主体６から突出体７に伝えることができる。
【００４２】
したがって、主体６及び突出体７が、十分な剛性を有するように構成される場合、固定要素５は、固定要素５の閉じ込めケージを使用する必要なく、既知の種類の固定ユニットで可能なよりもはるかに高い締め付け力を伝えることが可能である。
【００４３】
したがって、本発明は、既知の種類の固定ユニットと同じ有効性を得ながら、より少数の構成要素を有する固定ユニット１を提供するという目的を達成する。
【００４４】
固定要素５は、必ずではなく好ましくは、金属材料、例えば、鋼で作られたシートを切断して曲げることにより得られる。
【００４５】
特に、図２に示されるように、各接続部８、各突出体７、及び主体６のそれぞれは、上記シートに属する第１、第２、及び第３の板状の本体１５、１６、及び１７である。
【００４６】
好ましくは、主体６に対応する第３の板状の本体１５は主に、接続方向Ｘに垂直な平面Ｙに従って発展する。
【００４７】
第３の板状の本体１７には、上述した推進面６ａを画定する、接続方向Ｘに対面する周縁部１７ａが提供される。
【００４８】
有利なことには、周縁部１７ａの存在により、ネジ９ａにより生じる締め付け力を伝達するのに十分に主体６を強化することが可能である。
【００４９】
そして、突出体７は、主体６の周縁に接続された対応する数の第２の板状の本体１６を備える。
【００５０】
好ましくは、接続方向Ｘに垂直な平面に対する第２の板状の本体１６のそれぞれの断面は凹形外形を有する。
【００５１】
有利なことには、上述した凹形により、対応する縦方向に従って突出体７を強化することが可能であり、それにより、締め付け力の伝達に適するようにする。
【００５２】
各突出体７の端部７ｂは、必ずではなく好ましくは、板状の支持体３を切断して、有利なことには、突出体７と板状の支持体３との電気接触を促進し、したがって、アンテナ２を接地できるようにするように構成される。
【００５３】
これは、特に、上記端部７ｂに先のとがった形状を与えることにより達成される。
【００５４】
接続部８に対応する第１の板状の本体１５に関して、第１の板状の本体１５のそれぞれ１つには、好ましくは、連続して配置された一連の凹面１８が提供され、凹面のそれぞれ１つは、接続方向Ｘに従って押しつぶすことができる。
【００５５】
上記押しつぶす動作により、接続部８を変形させて、突出体７を主体６の近傍に移動させることができることが理解できる。
【００５６】
接続部８の凹面１８が任意の数で存在してよいことが明らかである。
【００５７】
接続部８は、必ずではなく好ましくは、突出体７の主体６に近づく移動の結果として、塑性的に変形するように構成される。
【００５８】
塑性的な変形可能性は、例えば、接続部８の材料及び厚さを適宜選択することにより得ることができる。
【００５９】
或いは、接続部８の１つ又は複数の凹面１８に、所定のポイント、例えば、凹面１８の頂点に集中される応力を誘導するような形状を与えることが可能である。
【００６０】
有利なことには、接続部８の塑性的変形により、特に振動が存在する場合にネジ９ａを緩めさせる傾向を有する、固定動作に続く弾性反応力を低減することが可能である。
【００６１】
したがって、塑性的変形により、アンテナ２が固定された後、ネジ９ａが緩まることを回避するという目的を達成することが可能である。
【００６２】
本発明の変形実施形態では、接続部８が上述したように変形可能な場合、固定要素５が上述した形状とは異なる任意の形状を有し得ることが明らかである。
【００６３】
固定ユニット１は、必ずではなく好ましくは、固定要素５をベース要素４に接続する間、接続方向Ｘに対して突出体７を広げるのに適した、特に図３〜図６に見られる案内手段１０を備える。
【００６４】
有利なことには、案内手段１０の存在により、板状の支持体３の厚さから独立して、突出体７に所定の広がりをさせて、最適な固定結果を得ることができる。
【００６５】
さらに、広がりが案内手段１０により生じるため、すでに広がった突出体７を板状の支持体３の穴３ａの寸法を超えて配置する必要はない。
【００６６】
逆に、突出体７を非変形構成での全幅が板状の支持体３の穴３ａのサイズよりも小さく、それにより、弾性抵抗を解消する必要なく、穴３ａ内に自在に導入できるように、構成することが可能である。
【００６７】
これは、有利なことには、穴３ａを介しての突出体７の導入に役立つ。
【００６８】
好ましくは、図６にさらに詳細に示されるように、案内手段１０は、接続方向Ｘに対して傾斜した、ベース要素４に属する案内面１１を備える。
【００６９】
突出体７には、ベース要素４が固定要素５に近づく間、案内面１１上で摺動するのに適した相手方面１２も提供される。
【００７０】
案内手段１０は、必ずではなく好ましくは、各突出体７に属する対応する形状の表面１４との接触を介して協働して、突出体７の広がりを制限する、ベース要素４に属する抑制壁１３も備える。
【００７１】
有利なことには、突出体７の制限付き広がりは、接続方向Ｘに略平行する方向に従って締め付け力を伝達できるようにするため、締め付け動作の有効性に有利に働く。
【００７２】
上述した抑制壁１３は、好ましくは、ベース要素４内で得られ、各突出体７の端部に属する対応する突起７ｃを収容する対応するキャビティ１１ａに属する。
【００７３】
有利なことには、キャビティ１１ａにより、突出体７の広がりを精密に案内することが可能である。
【００７４】
したがって、有利に、上記キャビティ１１ａは、突出体７を同じだけ広げさせ、突出体７の中で締め付け力を均一に分布させることに有利に働く。
【００７５】
さらに、有利なことには、突出体７の制御された広がりにより、基準面７ａと推進面６ａとの最適な接触を可能にするのに最も適するように、接続部８を変形させることが可能である。
【００７６】
突起７ｃは、必ずではなく好ましくは、案内手段１０により生じる突出体７の広がりに続き、穴３ａの内縁部に静止して、有利なことには、アンテナ２をセンタリングするように構成される。
【００７７】
動作の観点から、アンテナ２を車両のルーフ又は同様の板状の支持体３に固定するために、まず、案内手段１０が相互に位置合わせされるように、ネジ９ａを介して固定要素５をベース要素４に接続することにより、固定ユニット１が組み立てられる。
【００７８】
続けて、ルーフ３の外部から動作して、固定要素５は穴３ａを介して、図３に示される位置に押される。
【００７９】
ベース要素４は、好ましくは、スナップ結合歯を備え、スナップ結合歯は、有利なことには、ルーフ３に係合して、固定ユニット１を正確な位置に維持し、したがって、ネジ９ａの続く締め付けに役立つ。
【００８０】
次に、操作者は、固定要素５がベース要素４に近づくように固定ネジ９ａをねじ込む。
【００８１】
近づく移動中、案内手段１０は、先のとがった端部７ｂが板状の支持体３の穴３ａの縁部に面して配置されるように、突出体７を広げさせる。
【００８２】
広がり動作後、各突出体７の端部に配置された突起７ｃは、ベース要素４の対応するキャビティ１１ａ内に挿入されて、突出体７がそれ以上は広がらないようにする。
【００８３】
続けてねじ込むことにより、先のとがった端部７ｂを、ルーフ３の内面の図４に示される位置に接触させる。
【００８４】
この時点で、ネジ９ａをさらにねじ込むことにより、接続部８に、各突出体７の参照面７ａを生じさせ、結果として、主体６の対応する推進面６ａのより近傍に移動させる。
【００８５】
接触が行われると、図５に示されるように、ネジ９ａの締め付け力は完全に突出体７に伝えられ、突出体７はルーフ３に対して推進され、したがって、アンテナ２を固定する。
【００８６】
この動作中、突出体７の先のとがった端部７ｂは、ルーフ３を切断して、電気接触を得る。
【００８７】
好ましくは、ネジ９ａの全体行程は、固定ユニット１を、異なる厚さを有する板状の支持体３に使用できるようにするようなものである。
【００８８】
これは、例えば、許容可能な最大圧を有する板状の支持体３に接触する前に、突出体７を完全に広げさせることにより達成することができる。
【００８９】
さらに、ねじ込み動作は、好ましくは、適宜設定されたトルクを使用して実行され、適宜設定されたトルクにより、板状の支持体３の厚さから独立して、均一な締め付け力を加えることで固定ユニット１を設置することができる。
【００９０】
上記は、本発明の固定ユニットが、上記設定されたすべての目的を達成することを明らかに示す。
【００９１】
特に、互いに面する突出体上の参照面及び固定要素の主体上の対応する推進面により、ネジの締め付け力を突出体の端部に効率的に伝達できるようにする。
【００９２】
したがって、固定要素の収容にケージを使用する必要がある、既知の種類であり、同等な有効性の固定ユニットと比較して、構成要素の数を制限することが可能である。
【００９３】
さらに、接続部の塑性的変形により、固定動作に続く弾性反応を制限することによって、例えば振動により、ネジが偶発的に緩まないようにする。
【００９４】
構築中、本発明の主題である固定ユニットは、本明細書に記載されず、図面に示されない場合であっても、さらなる変更を行うことが可能であり、そのような変更はすべて、以下の特許請求の範囲内にある場合、本特許により保護されるものとみなさなければならない。
【００９５】
任意の請求項において言及される技術的特徴の後に参照符号が続く場合、それらの参照符号は、特許請求の範囲の理解度を上げるためだけに含まれており、したがって、そのような参照符号は、そのような参照符号により例として識別される各要素の保護に対していかなる限定の影響も有さない。
【図１】
0005594617.tif 000002
【図２】
0005594617.tif 000003
【図３】
0005594617.tif 000004
【図４】
0005594617.tif 000005
【図５】
0005594617.tif 000006
【図６】
0005594617.tif 000007